(57)【要約】      （修正有）【課題】補修が困難な衣服のポケットに孔が明くのを防止するポケットを提供する。【解決手段】ポケット１は、ジーンズ生地で形成されたジーンズの開口部に設けられ、スレーキで形成され、ジーンズの内部に配置され、上方が開口する袋状体に形成され、上方側側縁が開口部の周縁に縫合される本体１０と、本体１０の上方側側縁から下方に拡がる所定範囲において、本体１０に重ねて設けられ、本体１０に固定される補強部２０と、を備える。【選択図】図２
0003185304.tif 000002
【実用新案登録請求の範囲】
【請求項１】
第１の生地で形成された衣服の開口部に設けられ、第２の生地で形成され、前記衣服の内部に配置される衣服のポケットであって、
上方が開口する袋状体に形成され、上方側側縁が前記開口部の周縁に縫合される本体と、
前記本体の上方側側縁から下方に拡がる所定範囲において、前記本体に重ねて設けられ、前記本体に固定される補強部と、を備える衣服のポケット。
【請求項２】
前記補強部は、前記本体の底部が形成された下方から上方に拡がる所定範囲において、前記本体に重ねて設けられ、前記本体に固定される請求項１に記載の衣服のポケット。
【考案の詳細な説明】
【技術分野】
【０００１】
本考案は、衣服のポケットに関し、特に、第１の生地で形成された衣服の開口部に設けられ、第２の生地で形成され、衣服の内部に配置される衣服のポケットに関する。
【背景技術】
【０００２】
従来、ズボン等の衣服には、ポケットが設けられている。衣服の着用者は、このポケットに小物を収容したり、手を出し入れしたりする。
このため、ポケットは、その生地が摺れて薄くなり、孔が明く場合がる。
【０００３】
そこで、表側部材と裏側部材とを有し、物品の出し入れをするための、少なくとも１箇所の開口部が設けられた袋状体からなるポケットであり、裏側部材の裏面には、アイロンなどで加熱されることにより接着が可能となる感熱接着剤層が設けられた後付け用ポケット部材が提案されている（特許文献１参照）。
【０００４】
例えば、ポケットに孔が明いた場合には、衣服を形成する生地から孔の明いたポケットを取り外し、特許文献１のポケット部材を衣服の生地に取り付けることで、ポケットを補修することができる。
【先行技術文献】
【特許文献】
【０００５】
【特許文献１】実用新案登録第３１０８９４９号公報
【考案の概要】
【考案が解決しようとする課題】
【０００６】
ところで、衣服の一例であるジーンズは、後のポケットと前のポケットとで、構造が異なる。後のポケットは、ジーンズ全体を形成するデニム生地の表面に、ポケット部材が取り付けられている。一方、前のポケットは、ジーンズ全体を形成するデニム生地の開口部に設けられ、デニム生地の開口部に、スレーキ生地で形成された袋状体の開口部が縫合されている。
【０００７】
後のポケットに孔が明いた場合には、孔が明いたポケット部材を取り外し、特許文献１のポケット部材をデニム生地の表面に接着することで補修できる。
しかしながら、前のポケットは、後のポケットと異なり、デニム生地の表面に設けられていないので、孔が明いた場合、特許文献１のポケット部材を用いて補修することはできず、補修が困難である。
【０００８】
本考案は、補修が困難な衣服のポケットに孔が明くのを防止することを目的とする。
【課題を解決するための手段】
【０００９】
（１）  第１の生地で形成された衣服の開口部に設けられ、第２の生地で形成され、前記衣服の内部に配置される衣服のポケットであって、
上方が開口する袋状体に形成され、上方側側縁が前記開口部の周縁に縫合される本体と、
前記本体の上方側側縁から下方に拡がる所定範囲において、前記本体に重ねて設けられ、前記本体に固定される補強部と、を備える衣服のポケット。
【００１０】
（１）の構成によれば、衣服のポケットは、第１の生地で形成された衣服の開口部に設けられ、第２の生地で形成され、衣服の内部に配置され、本体と、補強部と、を備える。
本体は、上方が開口する袋状体に形成され、上方側側縁が衣服の開口部の周縁に縫合される
補強部は、本体の上方側側縁から下方に拡がる所定範囲において、本体に重ねて設けられ、本体に固定される。
【００１１】
ここで、第１の生地（例えば、ジーンズ生地）で形成された衣服（例えば、ジーンズ）の開口部に設けられ、第２の生地（例えば、スレーキ生地）で形成され、衣服の内部に配置されるポケットは、孔が明いた場合、容易に交換できないため、補修が困難である。
また、このようなポケットの第２の生地は、通常、第１の生地より薄い生地が使用される。このため、このようなポケットは、着用者の手が出し入れされる開口部周辺（即ち、ポケットの上方側側縁から下方に拡がる所定範囲）の第２の生地に孔が明く。
【００１２】
（１）の構成によれば、孔が明いた場合に補修が困難なポケットにおいて、孔が明きやすい開口部周辺に本体と補強部とを重ねた。
したがって、補修が困難な衣服のポケットに孔が明くのを防止できる。
【００１３】
（２）  前記補強部は、前記本体の底部が形成された下方から上方に拡がる所定範囲において、前記本体に重ねて設けられ、前記本体に固定される（１）に記載の衣服のポケット。
【００１４】
ここで、ポケットに収容された物は、ポケットの底部に落ち、衣服の着用者の動作に伴い、ポケットを形成する生地を擦りながら、ポケットの底部で移動する。このため、ポケットは、底部周辺（即ち、ポケットの底部が形成された下方から上方に拡がる所定範囲）に孔が明きやすい。
【００１５】
（２）の構成によれば、孔が明いた場合に補修が困難なポケットにおいて、（１）の構成に加え、孔が明きやすい底部周辺に本体と補強部とを重ねた。
したがって、補修が困難な衣服のポケットに孔が明くのを、より広い範囲において防止できる。
【考案の効果】
【００１６】
本考案によれば、補修が困難な衣服のポケットに孔が明くのを防止できる。
【図面の簡単な説明】
【００１７】
【図１】本考案の第１実施形態に係るポケットが適用されたジーンズの一部を示す図である。
【図２】本考案の第１実施形態に係るポケットを説明する図である。
【図３】本考案の第１実施形態に係るポケットを、図２に示す矢印の方向に展開した状態を示す図である。
【図４】本考案の第２実施形態に係るポケットを説明する図である。
【図５】本考案の第３実施形態に係るポケットを説明する図である。
【図６】本考案の第４実施形態に係るポケットを説明する図である。
【図７】本考案の第４実施形態に係るポケットを説明する図である。
【考案を実施するための形態】
【００１８】
本考案の第１実施形態に係るポケット１の構成を図面に基づいて説明する。
以下の実施形態の説明において、同一の構成には、同一の符号を付し、その説明を省略又は簡略化する。
図１は、本考案の第１実施形態に係るポケット１が適用されたジーンズ１００の一部を示す図である。
ジーンズ１００は、第１の生地の一例であるジーンズ生地で形成されたズボン部１１０を備える。ズボン部１１０には、正面から視て腰回り左右両側に、開口部１１１が形成されている。
以下の実施形態の説明では、ポケット１をジーンズ１００に適用した例を説明するが、ポケット１は、ジーンズに限定されず、チノパン、カーゴパンツ、ショーツ等にも適用できる。また、ポケット１は、ズボンに限定されず、スカートにも適用できる。
また、第１の生地は、ジーンズ生地に限らず、ポケット１が適用される衣服の種類に応じて、任意の生地とすることができる。
【００１９】
ポケット１は、ズボン部１１０の開口部１１１に設けられ、第２の生地の一例であるスレーキで形成され、ズボン部１１０の内部に配置される。
ここで、本考案の実施形態において、「スレーキ」とは、平織り又は綾織りされた布である。
なお、第２の生地は、衣服のポケットを形成できれば、スレーキに限らず、任意の素材を用いることができる。
【００２０】
図２は、本考案の第１実施形態に係るポケット１を説明する図である。
図２は、ポケット１の説明を容易にするために、図１に示すジーンズ１００のうちズボン部１１０の図示を省き、ポケット１のみを示した図である。
ポケット１は、図２中太い破線で示すステッチＡにおいて、ズボン部１１０の開口部１１１（図１参照）に縫い付けられている。
ステッチＡや、後述するステッチＢ、Ｃ、Ｄ、Ｅ、Ｆは、例えば、５つ以上（例えば、７つ）／センチメートルのピッチで形成してもよい。これにより、ステッチＡ、Ｂ、Ｃ、Ｄ、Ｅ、Ｆは、一般的にポケットをズボン部に縫い付けるステッチのピッチ（３つ／センチメートル）より、狭くなるので、縫合した部分の強度が向上し、破れづらくなる。
【００２１】
ポケット１は、上方が開口する袋状体に形成された本体１０と、本体１０の内部において本体１０に重ねて設けられた補強部２０と、本体１０の外部に露出する位置に設けられた向こう布３０と、を備える。
【００２２】
本体１０は、所定形状のスレーキが、図２中左側において上下方向に延びる実線で示す折り部１１で折られている。そして、本体１０は、図２中下方及び右側側縁において、図２中一点鎖線で示すステッチＢにより、スレーキの端部が互いに縫合されて、袋状体に形成されている。
【００２３】
図３は、本考案の第１実施形態に係るポケット１を、図２に示す矢印の方向に展開した状態を示す図である。
本体１０は、図３において折り部１１より左側の正面部１２と、図３において折り部１１より右側の背面部１３と、を備える。
【００２４】
正面部１２は、ポケット１がズボン部１１０に取り付けられた時に、正面側に配置される部分である。正面部１２の上方側側縁は、ズボン部１１０の開口部１１１（図１参照）の正面側側縁と同一形状に形成されている。
【００２５】
背面部１３は、ポケット１がズボン部１１０に取り付けられた時に、背面側に配置される部分である。背面部１３の上方側側縁は、ズボン部１１０の開口部１１１（図１参照）の配面側側縁と同一形状に形成されている。
【００２６】
補強部２０は、図３において斜線で示す部分である。
補強部２０は、本体１０に重ねて設けられ、本体１０に固定されている。具体的には、補強部２０は、本体１０とは別の部材が、ステッチＣにより本体１０に縫合されている。
補強部２０は、スレーキ生地、ジーンズ生地の他、表面が滑りやすい生地等や革等、任意の素材を使うことができる。
【００２７】
また、補強部２０は、多様な色の素材を用いることができる。例えば、ズボン部１１０の生地の色と異なる色の素材を用いることで、意匠性を向上できる。
なお、第１実施形態において、補強部２０は、生地で構成しているが、これに限らず、例えば、本体１０の表面に付着し本体１０の表面を保護する塗料を、塗布したり印刷したりすることで形成してもよい。
【００２８】
補強部２０は、本体１０の正面部１２の上方側側縁から下方に拡がる開口周辺部２１と、本体１０の底部が形成された下方から上方に拡がる底周辺部２２と、を備える。
なお、第１実施形態において、補強部２０は、開口周辺部２１と、底周辺部２２と、を備えるが、これに限らず、いずれか一方だけとしたり、開口周辺部２１及び底周辺部２２を一体にしたりしてもよい。
【００２９】
開口周辺部２１は、本体１０の正面部１２の上方側側縁に沿って、所定の幅（例えば、１〜５センチメートル）で延びている。
なお、開口周辺部２１は、本体１０の上方側側縁から下方に拡がる所定範囲を覆うことができれば、ポケット１の大きさや使用態様に応じて、任意の大きさや形状とすることができる。
第１実施形態において、開口周辺部２１は、下方側側縁が、複数本のステッチＣにより本体１０に縫合されている。また、開口周辺部２１の下方側側縁以外の側縁は、本体１０とともに、ズボン部１１０（図１参照）に縫い付けられる。
なお、開口周辺部２１を本体１０に縫合するステッチＣは、複数本に限らず、１本でもよい。
【００３０】
底周辺部２２は、本体１０の正面部１２及び背面部１３の下方側側縁に沿って、１〜５センチメートルの幅で延びている。
なお、底周辺部２２は、本体１０の下方側側縁から上方に拡がる所定範囲を覆うことができれば、ポケット１の大きさや使用態様に応じて、任意の大きさや形状とすることができる。
第１実施形態において、底周辺部２２は、上方側側縁が、１本のステッチＣにより本体１０に縫合されている。また、底周辺部２２の上方側側縁以外の側縁は、本体１０とともに、折り部１１で折られ、互いに対面した側縁同士が縫合される。
なお、底周辺部２２を本体１０に縫合するステッチＣは、１本に限らず、複数本でもよい。
【００３１】
第１実施形態において、本体１０の正面部１２の上方側側縁は、下方に向かって膨出する円弧形状に形成されている。このため、背面部１３には、本体１０を折り部１１で折った時に、正面から視える露出部分１０ａが存在する。
【００３２】
向こう布３０は、ズボン部１１０（図１参照）と同じ生地（本実施形態では、ジーンズ生地）で形成され、この露出部分１０ａを覆うように、本体１０に重ねて配置され、本体１０と縫合されている。
なお、第１実施形態では、背面部１３の露出部分１０ａに、向こう布３０を設けているが、向こう布３０の代わりに又は向こう布として、補強部を設けてもよい。この場合、例えば、開口周辺部２１を、本体１０の正面部１２から背面部１３まで拡げてもよい。
また、この場合、例えば、ジーンズの左右両側に設けられた前ポケットのうち、一方の前ポケットにおける補強部２０の色と、他方の前ポケットにおける補強部２０の色と、を相違させてもよい。具体的には、一方の前ポケットにおける補強部２０の色はズボン部の色と同色とし、他方の前ポケットにおける補強部２０の色はズボン部の色と異なる色としてもよい。これにより、向こう布３０の代わりに又は向こう布としての補強部の色によって、意匠性が向上するとともに、ジーンズの種類やサイズ等を識別させることができる。
【００３３】
次に、第１実施形態に係るポケット１の製造方法を、図１から図３を参照して説明する。
まず、図３に示すように、スレーキの上方側側縁を、ズボン部１１０の開口部１１１（図１参照）の側縁形状と同一の形状に裁断し、本体１０を形成する。
そして、本体１０の正面部１２において、上方側側縁に沿って開口周辺部２１を、本体１０に重ねて配置する。次に、開口周辺部２１の下方側側縁を、ステッチＣにより本体１０に縫合する。
また、本体１０の正面部１２及び背面部１３において、下方側側縁に沿って底周辺部２２を、本体１０に重ねて配置する。次に、底周辺部２２の上方側側縁を、ステッチＣにより本体１０に縫合する。
【００３４】
更に、背面部１３の露出部分１０ａを覆うように向こう布３０を配置し、この向こう布３０を本体１０と縫合する。
【００３５】
次に、本体１０を、折り部１１で折り、図２に示すように、ステッチＢにより、本体１０を構成するスレーキの端部を互いに縫合する。これにより、ポケット１が製造される。
そして、図１に示すように、このポケット１の上方側側縁を、ステッチＡ（図２参照）により、ジーンズ１００の開口部１１１に縫合する。
【００３６】
次に、本考案の第２実施形態に係るポケット１Ａの構成を図面に基づいて説明する。
以下、第２実施形態から第４実施形態の説明において、第１実施形態と同一の構成については、その説明を省略する。
図４は、本考案の第２実施形態に係るポケット１Ａを説明する図である。
図４では、図３と同様に、展開した状態のポケット１Ａを示している。
第２実施形態に係るポケット１Ａは、第１実施形態に係るポケット１とは、主に、補強部２０Ａの開口周辺部２１Ａの構成と、フック４０を備える点が異なる。
【００３７】
開口周辺部２１Ａは、本体１０の正面部１２の上方側側縁に沿って、所定の幅（例えば、１〜１０センチメートル）で延び、折り部１１に沿って上下方向延びる縦縁２１１Ａを有する。
第２実施形態において、開口周辺部２１Ａは、上方側側縁から、ポケット１Ａとズボン部１１０の開口部１１１（図１参照）との接合部（図１に示す例ではステッチＡ近傍）を避けた位置において、複数本のステッチＣにより本体１０に縫合されている。
なお、開口周辺部２１Ａを本体１０に縫合するステッチＣは、複数本に限らず、１本でもよい。
【００３８】
また、縦縁２１１Ａは、開閉可能なジッパーＧを介して、本体１０に固定されている。また、開口周辺部２１Ａは、縦縁２１１Ａの下端からステッチＣに延びるステッチＤにより本体１０に縫合されている。
これにより、本体１０と開口周辺部２１Ａとの間において、ステッチＣ、ステッチＤ及びジッパーＧで囲われるポケットが形成できる。
【００３９】
また、開口周辺部２１Ａの下方側側縁は、本体１０に縫合されず、自由端となっている。このように、開口周辺部２１Ａの下方側側縁を自由端とすることで、例えば、開口周辺部２１Ａの下方側への幅を大きくした場合でも、通気性をよくし、洗濯後の乾燥を早めることができる。
【００４０】
フック４０は、紐状体で構成され、両端が、本体１０の背面部１３と底周辺部２２との間に固定され、環形状を形成する。
これにより、着用者は、ポケット１Ａの底部近傍まで手を入れ、フック４０に指をかけ引き上げることで、ポケット１Ａをズボン部内部から引き出し、ポケット１Ａに収容した物を容易に取り出すことができる。
【００４１】
次に、本考案の第３実施形態に係るポケット１Ｂの構成を図面に基づいて説明する。
図５は、本考案の第３実施形態に係るポケット１Ｂを説明する図である。
図５では、図３と同様に、展開した状態のポケット１Ｂを示している。
第３実施形態に係るポケット１Ｂは、第１実施形態に係るポケット１とは、補強部２０Ｂの開口周辺部２１Ｂの構成と、小物ポケット５０を備える点が異なる。
【００４２】
開口周辺部２１Ｂは、本体１０の正面部１２の上方側側縁に沿って、所定の幅（例えば、５〜１５センチメートル）で延び、折り部１１に沿って上下方向延びる縦縁２１１Ｂを有する。
第３実施形態において、開口周辺部２１Ｂは、上方側側縁から、ポケット１Ｂとズボン部１１０の開口部１１１（図１参照）との接合部（図１に示す例ではステッチＡ近傍）を避けた位置において、複数本のステッチＣにより本体１０に縫合されている。また、縦縁２１１Ｂは、ステッチＥにより本体１０に縫合されている。また、開口周辺部２１Ｂの下方側側縁は、本体１０に縫合されず、自由端となっている。
なお、開口周辺部２１Ｂを本体１０に縫合するステッチＣは、複数本に限らず、１本でもよい。
【００４３】
小物ポケット５０は、少なくとも開口周辺部２１Ｂ全体の大きさより小さい生地が、開口周辺部２１Ｂの表面に配置され、ステッチＦにより、左右側縁及び下方側側縁が開口周辺部２１Ｂに縫合されている。
これにより、開口周辺部２１Ｂと配置された生地との間において、ステッチＦで３方が囲われ、上方が開放されたポケットを形成できる。
【００４４】
次に、本考案の第４実施形態に係るポケット１Ｄの構成を図面に基づいて説明する。
図６及び図７は、本考案の第４実施形態に係るポケット１Ｄを説明する図である。
第４実施形態に係るポケット１Ｄは、第１実施形態に係るポケット１とは、補強部２０Ｄが、本体１０と一連の素材で形成されている点が異なる。
図６は、ポケット１Ｄと、ズボン部１１０の開口部１１１と、の接合部分の断面図を示す。
図６に示すように、ポケット１Ｄは、本体１０と、本体１０に連なる連結部１５と、本体１０又は連結部１５に連なる補強部２０Ｄと、を備える。
補強部２０Ｄは、開口周辺部２１Ｄと、底周辺部２２Ｄと、を備える。
【００４５】
開口周辺部２１Ｄは、本体１０に連なる連結部１５に連なり、本体１０の上方側側縁から下方に拡がる所定範囲に設けられている。
連結部１５は、本体１０の上端に連なる本体連結部１５１と、本体連結部１５１に連なり第１折部１５２で折り返され、開口周辺部２１Ｄに連なる補強部連結部１５３と、を備える。
【００４６】
ポケット１Ｄは、連結部１５が第２折部１５４で折り返され、連結部１５と、本体１０及び開口周辺部２１Ｄの上方側側縁と、がともにステッチＡにより、ズボン部１１０の開口部１１１に縫合される。
【００４７】
これにより、ポケット１Ｄとズボン部１１０との接合部において、ポケット１Ｄの生地を４枚（本体１０及び開口周辺部２１Ｄの上方側側縁、本体連結部１５１、補強部連結部１５３）に積層できるので、この接合部の強度を向上できる。
【００４８】
図７は、ポケット１Ｄの底周辺部２２Ｄを含む部分の断面図を示す。
図７に示すように、底周辺部２２Ｄは、本体１０の下端に連なり、本体１０の底部に形成された底折部２５で折り返され、本体１０の下方側側縁から上方に拡がる所定範囲に設けられている。
【００４９】
ポケット１Ｄは、本体１０を、折り部１１（図２参照）で折り、互いに対面する本体１０及び底周辺部２２Ｄの下方側側縁を、ステッチＢにより縫合される。
【００５０】
これにより、ポケット１Ｄの底部を形成する接合部において、ポケット１Ｄの生地を４枚（２枚の本体１０の下方側側縁及び２枚の底周辺部２２Ｄの下方側側縁）に積層できるので、この接合部の強度を向上できる。
【００５１】
第１から第４実施形態によれば、孔が明いた場合に補修が困難なポケットにおいて、孔が明きやすい開口部周辺に本体１０と開口周辺部２１、２１Ａ、２１Ｂ又は２１Ｄとを重ねた。
したがって、補修が困難な衣服のポケットに孔が明くのを防止できる。
【００５２】
また、第１から第４実施形態によれば、孔が明いた場合に補修が困難なポケットにおいて、更に、孔が明きやすい底部周辺に本体１０と底周辺部２２、２２Ａ、２２Ｂ又は２２Ｄとを重ねた。
したがって、補修が困難な衣服のポケットに孔が明くのを、より広い範囲において防止できる。
【００５３】
以上、本考案の第１から第４実施形態について、それぞれ説明したが、各実施形態は、互いに各実施形態の全て又は一部を組み合わせてもよい。
なお、本考案は前記実施形態に限定されるものではなく、本考案の目的を達成できる範囲での変形、改良等は本考案に含まれるものである。
【符号の説明】
【００５４】
１、１Ａ、１Ｂ、１Ｄ      ポケット
１０    本体
２０、２０Ａ、２０Ｂ、２０Ｄ    補強部
１００  ジーンズ
１１１  開口部
【図１】
0003185304.tif 000003
【図２】
0003185304.tif 000004
【図３】
0003185304.tif 000005
【図４】
0003185304.tif 000006
【図５】
0003185304.tif 000007
【図６】
0003185304.tif 000008
【図７】
0003185304.tif 000009